(57)【要約】【課題】  同報無線システムにおいて繰り返し使用する音源を、無線回線の占有時間を短くし無線回線の影響による品質劣化を排除し、子局のスピーカから高品質な音源として出力することを目的とする。【解決手段】  高音質な音源を、有線回線等で構成された回線品質の高い地域イントラネット網１６を経由して伝送し、あらかじめ子局９の受信側記憶部１２に蓄積しておく。親局１では、コマンド入力部４に再生用コマンドコードが入力されると送信側制御部６に送られ、送信側制御部６でデータ種別コード「再生（値２）」がデータのヘッダ部に付加され、送信部７で変調・増幅され、データ再生要求信号２３として無線回線１５を経由して子局９に伝送される。子局９では、受信部１０がデータ再生要求信号２３を受信し、受信側制御部１１でデータのヘッダ部から再生用コマンドコード受信と判定され、受信側記憶部１２から選択された音源がスピーカ１４から出力される。【選択図】        図１
2006165647.tif 000002
【特許請求の範囲】
【請求項１】
無線回線を介して、データ送信装置と通信するデータ受信装置において、
データ受信装置がデータ送信装置から無線回線を介してのデータを受信する場合にデータ受信装置において得られるデータの品質よりも高品質のデータをあらかじめ再生データとして蓄積記憶する受信側記憶部と、
出力データとデータ出力要求とを含むデータ出力要求信号と、再生データを再生する再生要求を含むデータ再生要求信号とのいずれかの要求信号をデータ送信装置から受信する受信部と、
前記受信部が受信した要求信号がデータ出力要求信号である場合に、データ出力要求信号に含まれる出力データを取り出すとともに、前記受信部が受信した要求信号がデータ再生要求信号である場合に、前記受信側記憶部に記憶した再生データを出力データとして取り出す受信側制御部と、
受信側制御部が取り出した出力データを出力する出力部と
を備えたことを特徴とするデータ受信装置。
【請求項２】
前記受信側記憶部は、データ送信装置から、有線回線を介して出力データを受信し、受信した出力データを再生データとして蓄積記憶することを特徴とする請求項１記載のデータ受信装置。
【請求項３】
前記受信側記憶部は、データ送信装置から、インターネット網と公衆デジタル網と公衆アナログ網とのいずれか介して出力データを受信し、受信した出力データを再生データとして蓄積記憶することを特徴とする請求項１記載のデータ受信装置。
【請求項４】
前記受信側記憶部は、データ送信装置から、オフラインで出力データを受け取り、受け取った出力データを再生データとして蓄積記憶することを特徴とする請求項１記載のデータ受信装置。
【請求項５】
無線回線と有線回線とを介して、データ受信装置と通信するデータ送信装置において、
データ受信装置がデータ送信装置から無線回線を介してその所定のデータを受信する場合にデータ受信装置において得られるデータの品質よりも高品質のデータをあらかじめ再生データとして記憶するとともに、再生データをデータ受信装置にあらかじめ蓄積記憶させるために再生データを有線回線を介してデータ受信装置へ送信する送信側記憶部と、
データ受信装置に送信するデータと同一内容のデータが再生データとしてデータ受信装置において蓄積されていない場合に、データ受信装置に送信するデータを出力データとして出力するとともに、データ受信装置に送信するデータと同一内容のデータがデータ受信装置において再生データとして蓄積されている場合に、再生データを再生する再生要求を出力する送信側制御部と、
前記送信側制御部が出力した出力データを入力し出力データとデータ出力要求とを含むデータ出力要求信号を生成し、前記送信側制御部が出力した再生要求を入力し再生要求を含むデータ再生要求信号を生成し、生成した要求信号を無線回線を介してデータ受信装置へ送信する送信部と
を備えたことを特徴とするデータ送信装置。
【請求項６】
データ受信装置とデータ送信装置とを備えたデータ送受信システムにおいて、
前記データ送信装置は、
データ受信装置がデータ送信装置から無線回線を介してその所定のデータを受信する場合にデータ受信装置において得られるデータの品質よりも高品質のデータをあらかじめ再生データとして記憶するとともに、再生データをデータ受信装置にあらかじめ蓄積記憶させるために再生データを有線回線を介してデータ受信装置へ送信する送信側記憶部と、
データ受信装置に送信するデータと同一内容のデータが再生データとしてデータ受信装置において蓄積されていない場合に、データ受信装置に送信するデータを出力データとして出力するとともに、データ受信装置に送信するデータと同一内容のデータがデータ受信装置において再生データとして蓄積されている場合に、再生データを再生する再生要求を出力する送信側制御部と、
前記送信側制御部が出力した出力データを入力し出力データとデータ出力要求とを含むデータ出力要求信号を生成し、前記送信側制御部が出力した再生要求を入力し再生要求を含むデータ再生要求信号を生成し、生成した要求信号を無線回線を介してデータ受信装置へ送信する送信部とを備え、
前記データ受信装置は、
前記データ送信装置から再生データを有線回線を介して受け取り、再生データを蓄積記憶する受信側記憶部と、
出力データとデータ出力要求とを含むデータ出力要求信号と、再生データを再生する再生要求を含むデータ再生要求信号とのいずれかの要求信号をデータ送信装置から受信する受信部と、
前記受信部が受信した要求信号がデータ出力要求信号である場合に、データ出力要求信号に含まれる出力データを取り出すとともに、前記受信部が受信した要求信号がデータ再生要求信号である場合に、前記受信側記憶部に記憶した再生データを出力データとして取り出す受信側制御部と、
受信側制御部が取り出した出力データを出力する出力部とを備えたことを特徴とするデータ送受信システム。
【発明の詳細な説明】
【技術分野】
【０００１】
本発明は、主に同報無線システムのような無線回線を介してデータを送受信するデータ送受信システムにおける、データ送受信技術に関するものである。
【背景技術】
【０００２】
従来の同報無線システムは、無線を介して限られた周波数帯域において子局で再生する音声の音質を確保するために、以下の構成をとっている。まず、親局は音声を高い標本化速度と標本値で符号化し、符号化信号を記憶手段に記憶する。放送開始時間が指定されると指定された放送開始時間と無線空間における実効伝送速度と符号化手段の速度とに基づいて放送開始時間に先立ち送信開始する時間値を算出する。算出された時間だけ放送開始時間に先立ち送信を開始する。次に、子局は親局から送信された情報を無線空間の実効伝送速度で記憶手段に記憶し、親局の符号化手段の速度で記憶手段の信号を読み出して復号して音声を出力する構成にしている（例えば、特許文献１）。
【特許文献１】特開２００３−１１０５１１号公報
【発明の開示】
【発明が解決しようとする課題】
【０００３】
従来の同報無線システムでは、子局で再生する音声の音質確保のために、親局に高い標本化速度と標本値で符号化する機能や放送開始時間に先立ち送信開始する時間値を算出する機能等が必要であった。また、無線回線を放送時間より長い時間占有するのでリアルタイムの高音質放送の放送時間に制約があった。さらに、データの誤り検出手段やデータの誤りを低減させるための再送手段等を追加しても無線回線品質の影響による音声の品質劣化を完全に排除することは困難であった。
【０００４】
この発明は上記のような課題を解消するためになされたもので、親局に複雑な符号化手段や時間算出機能を持たせることなく、また、無線回線を長い時間占有することなく、無線回線品質の影響による品質劣化を排除し子局から高音質の音声を出力することを目的とする。
【課題を解決するための手段】
【０００５】
本発明は、無線回線を介して、データ送信装置と通信するデータ受信装置において、
データ受信装置がデータ送信装置から無線回線を介してのデータを受信する場合にデータ受信装置において得られるデータの品質よりも高品質のデータをあらかじめ再生データとして蓄積記憶する受信側記憶部と、
出力データとデータ出力要求とを含むデータ出力要求信号と、再生データを再生する再生要求を含むデータ再生要求信号とのいずれかの要求信号をデータ送信装置から受信する受信部と、
前記受信部が受信した要求信号がデータ出力要求信号である場合に、データ出力要求信号に含まれる出力データを取り出すとともに、前記受信部が受信した要求信号がデータ再生要求信号である場合に、前記受信側記憶部に記憶した再生データを出力データとして取り出す受信側制御部と、
受信側制御部が取り出した出力データを出力する出力部と
を備えたことを特徴とする。
【発明の効果】
【０００６】
本発明によれば、ミュージックチャイムや定例放送等の繰り返し使用する音源については、無線回線の占有時間を長くすることなくデータ受信装置（子局）から高品質な音声を出力する効果を実現できる。
【０００７】
また、本発明によれば、無線回線の影響による品質劣化がなく、データ受信装置（子局）から高品質な音声を出力する効果を単純な構成で実現できる。
【０００８】
また、本発明によれば、データ送信装置（親局）からのコマンド送信後、蓄積された音源を出力している間は無線回線が空いているために、文字情報や画像を無線回線で伝送しデータ受信装置（子局）で音声出力に合わせて表示することができる。
【発明を実施するための最良の形態】
【０００９】
実施の形態１．
図１は、実施の形態１における同報無線システム１００のシステム構成例を示す図である。同報無線システム１００は無線回線を介してデータを送受信するデータ送受信装置の一例である。図１において、１は親局（データ送信装置）である。本実施の形態ではデータ送信装置として同報無線システムにおける親局を例として説明する。２は音源入力部、３は符号化部、４はコマンド入力部、５は放送／再生／蓄積切替スイッチ、６は送信側制御部、７は送信部、８は送信側記憶部である。
【００１０】
９は子局（データ受信装置）である。本実施の形態ではデータ受信装置として同報無線システムの子局（拡声子局、戸別受信機、等）を例として説明する。１０は受信部、１１は受信側制御部、１２は受信側記憶部、１３は復号化部、１４はスピーカ（出力部）である。本実施の形態では出力部としてスピーカからの放送を例として説明するが、画面に表示する出力装置や他の出力装置でもよい。
【００１１】
１５は親局１と子局９の間で通信を行う無線回線、１６は親局１と子局９が接続可能である有線回線等で構成された回線品質の高い地域イントラネット網である。１７は親局１側の端末設備、１８は子局９側の端末設備である。なお、子局９は図１に１個のみ記載されているだけであるが、複数個存在してもよい。
【００１２】
１９は音源入力部２で入力する音源である。音源１９は、防災等のために通知する通常の音声あるいはミュージックチャイムや定例放送等の繰り返し使用する音楽や音声等である。本実施の形態では入力データとして音源１９を例としているが、画面に表示する画像データやテキストデータでもよい。
【００１３】
２０はコマンド入力部４で入力するコマンドコードである。コマンドコード２０は、放送／再生／蓄積切替スイッチ５で再生を指定したときに音源を特定するための再生用コマンドコードである。また、放送／再生／蓄積切替スイッチ５で蓄積を指定したときに蓄積する音源と対応づけて記憶部に蓄積記憶するための蓄積用コマンドコードである。２１はスピーカ（出力部）から放送する音源である。本実施の形態では出力データとしてスピーカから放送する音源２１を例としているが、画面上で出力する画像データやテキストデータでも適用可能である。
【００１４】
２２は子局９で音源データを出力するためのデータ出力要求信号である。２３は子局９で音源データを再生出力するためのデータ再生要求信号である。データ出力要求信号２２とデータ再生要求信号２３は、同報無線システム１００における無線回線１５を介して親局１から子局９へ送信される。
【００１５】
２４は子局９の受信側記憶部１２で蓄積記憶するためのデータ蓄積要求信号である。データ蓄積要求信号２４は、同報無線システム１００における地域イントラネット網１６を介して親局１から子局９へ送信される。
【００１６】
図２は、放送時または再生時のデータ信号フォーマットを示す図である。図２において、２０１はデータ種別コードでありデータのヘッダ部に収容される。データの情報データ部には、子局から出力するための音源データ（出力データ）２０２または子局で音源データを再生するための再生用コマンドコード２０３が収容される。
【００１７】
図３は、放送時または再生時のデータ信号フォーマットのヘッダ部と情報データ部の対応を示す図である。データ出力要求信号２２の場合は、データ種別コード２０１が「放送」（値１）であり、情報データ部には子局９で出力する音源データ（出力データ）２０２が収容される。また、データ再生要求信号２３の場合は、データ種別コード２０１が「再生」（値２）であり、情報データ部には子局９で再生する音源データを指定するための再生用コマンドコード２０３が収容される。
【００１８】
図４は、蓄積時のデータ蓄積要求信号２４のデータフォーマットを示す図である。データのヘッダ部には、子局９の受信側記憶部１２に蓄積記憶する音源データ（再生データ）を特定するための蓄積用コマンドコード４０１が収容される。データの情報データ部には、蓄積記憶する音源データ（再生データ）４０２が収容される。
【００１９】
図５は、蓄積時のデータフォーマットのヘッダ部と情報データ部の対応の例を示す図である。
【００２０】
例えば、蓄積用コマンドコード４０１としてヘッダ部に「Ａ１」を付与し、情報データ部に音源データ（再生データ）４０２として「おはようございます」という音源を符号化した音源データを収容する。このデータは、データ蓄積要求信号２４として回線品質の高い有線回線である地域イントラネット網１６を介して親局１から子局９へ伝送され子局９の受信側記憶部１２に蓄積記憶される。このように、「Ａ１」と「おはようございます」を対応づけて蓄積記憶することにより、「おはようございます」を放送するときには図１においてコマンドコード２０として再生用コマンドコード「Ａ１」を指定するだけでよい。
【００２１】
図６は、実施の形態１の子局９における音源データ出力処理の流れを示すフローチャート図である。
【００２２】
実施の形態１における同報無線システムの音源データ出力処理について説明する。
【００２３】
ここで、防災等のために通知する通常の音声を子局から出力する場合について、図１および図６を使って説明する。
【００２４】
まず、利用者は放送／再生／蓄積切替スイッチ５で「放送」を選択し、子局９で放送する音声を音源入力部２から入力する。入力した音源１９は符号化部３でデジタルデータに符号化される。このデータを音源データ（出力データ）とする。次に、送信側制御部６でデータ種別コード「放送（値１）」がデータのヘッダ部に付加される。さらに、送信部７で変調・増幅され、データ出力要求信号２２として無線回線１５を経由して子局９に伝送される。
【００２５】
子局９では、受信部１０でデータ出力要求信号２２を受信し、増幅・復調する（Ｓ１）。次に、受信側制御部１１はデータのヘッダ部よりデータ種別コードは「放送（値１）」であり音源データ（出力データ）受信であると判定する（Ｓ２）。次に、復号化部１３で音源データ（出力データ）から音声・音楽等の音源２１に復号化される（Ｓ４）。復号化した音声・音楽等の音源２１は、スピーカ（出力部）１４から出力される（Ｓ５）。
【００２６】
次に、ミュージックチャイムや定例放送等の繰り返し使用する音源を子局で再生出力する場合について、図１および図６を使って説明する。ミュージックチャイムや定例放送等の繰り返し使用する音源については、高音質な１以上の音源を有線回線等の回線品質の高い伝送路を経由する手段（本システムの無線回線１５は経由しない）により、あらかじめ子局９の受信側記憶部１２に蓄積記憶しておく。
【００２７】
利用者は、放送／再生／蓄積切替スイッチ５で「再生」を選択する。次に、利用者は親局１のコマンド入力部４に音源を選択するための再生用コマンドコード２０３を入力する。入力した再生用コマンドコード２０３はデジタルデータとして送信側制御部６に送られる。送信側制御部６はデータのヘッダ部にデータ種別コード「再生（値２）」を付加する。さらに、送信部７で変調・増幅され、データ再生要求信号２３として無線回線１５を経由して子局９に伝送される。このときの無線回線占有時間は、データ量が少ないため音源データそのものを伝送するときよりも短い時間である。
【００２８】
子局９において、受信部１０は親局１からのデータ再生要求信号２３を受信し、増幅・復調する（Ｓ１）。受信側制御部１１は、データ再生要求信号２３のヘッダ部よりデータ種別コードは「再生（値２）」であり再生用コマンドコード受信と判定する（Ｓ２）。受信側制御部１１は受信側記憶部１２から再生用コマンドコードと一致する音源データ（再生データ）を取り出す（Ｓ３）。復号化部１３は、取り出した音源データを音声・音楽等の音源２１に復号化する（Ｓ４）。復号化した音声・音楽等の音源２１は、スピーカ（出力部）１４から出力される（Ｓ５）。
【００２９】
実施の形態１における同報無線システム１００の音源データ蓄積記憶処理について説明する。蓄積記憶する音源データはミュージックチャイムや定例放送等の繰り返し使用する音声や音楽等である。これらの音源データをあらかじめ子局９の受信側記憶部１２に蓄積記憶する方法について図７を使って説明する。
【００３０】
図７は実施の形態１に係る同報無線システムの蓄積記憶処理の流れを示すフローチャート図である。
【００３１】
利用者は、放送／再生／蓄積切替スイッチ５で「蓄積」を選択する。コマンド入力部４から蓄積用コマンドコード４０３を入力し、音源入力部２から子局９で蓄積記憶する音源を入力する（Ｓ７０１）。入力した音源は、符号化部３でデジタルデータである音源データに符号化される（Ｓ７０２）。送信側制御部６は、データのヘッダ部に蓄積用コマンドコードを収容し情報データ部に音源データを収容する（Ｓ７０３）。ヘッダ部に蓄積用コマンドコードを収容し情報データ部に音源データを収容したデータは、データ蓄積要求信号２４として送信側記憶部８に格納される（Ｓ７０４）。さらに、送信側記憶部８から親局１側の端末設備１７を介して有線回線等で構成された回線品質の高い地域イントラネット網１６に伝送される（Ｓ７０５）。データ蓄積要求信号２４は、子局９側の端末設備１８を経由し地域イントラネット網１６で実現可能な伝送速度の範囲内でデータが順次伝送され子局９の受信側記憶部１２に蓄積記憶される（Ｓ７０６）。
【００３２】
このように、本実施の形態によれば、ミュージックチャイムや定例放送等の繰り返し使用する音源については、無線回線を長時間占有することなく、子局からの高品質な音声出力を実現できる。
【００３３】
また、本実施の形態によれば、ミュージックチャイムや定例放送等の繰り返し使用する音源については、無線回線の影響による品質劣化がなく、子局からの高品質な音声出力を実現できる。
【００３４】
また、本実施の形態によれば、親局に複雑な符号化手段や時間算出機能を持たせることなく、単純な構成で子局からの高品質な音声出力を実現できる。
【００３５】
また、本実施の形態によれば、親局からのコマンド送信後、蓄積された音源を出力している間は無線回線が空いているため、文字情報や画像を無線回線で伝送し子局で音声出力に合わせて表示することができる。
【００３６】
実施の形態２．
実施の形態１では、音源データの蓄積記憶処理に使用する有線回線等の回線品質の高い伝送路の例として地域イントラネット網を使用した。本実施の形態では、有線回線等の回線品質の高い伝送路としてインターネット網を使用する例を説明する。
【００３７】
図８は実施の形態２における同報無線システム１００のシステム構成図である。３１は親局１と子局９が接続可能なインターネット網で３１１は親局１側の端末設備、３１２は子局９側の端末設備を示す。同報無線システム１００の動作については実施の形態１と同じである。
【００３８】
実施の形態３．
実施の形態１では、音源データの蓄積記憶処理に使用する有線回線等の回線品質の高い伝送路の例として地域イントラネット網を使用した。本実施の形態では、有線回線等の回線品質の高い伝送路として例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）のような公衆デジタル網を使用する例を説明する。
【００３９】
図９は実施の形態３における同報無線システム１００のシステム構成図である。３２は親局１と子局９が接続可能な公衆デジタル網で３２１は親局１側のＤＳＵ、３２２は子局９側のＤＳＵを示す。同報無線システム１００の動作については実施の形態１と同じである。
【００４０】
実施の形態４．
実施の形態１では、音源データの蓄積記憶処理に使用する有線回線等の回線品質の高い伝送路の例として地域イントラネット網を使用した。本実施の形態では、有線回線等の回線品質の高い伝送路として例えば電話回線網のような公衆アナログ網を使用する例を説明する。
【００４１】
図１０は実施の形態４における同報無線システム１００のシステム構成図である。３３は親局１と子局９が接続可能な公衆デジタル網で３３１は親局１側のモデム、３３２は子局９側のモデムを示す。同報無線システム１００の動作については実施の形態１と同じである。
【００４２】
実施の形態５．
実施の形態１では、音源データの蓄積記憶処理に使用する有線回線等の回線品質の高い伝送路の例として地域イントラネット網を使用した。本実施の形態では、有線回線等の回線品質の高い伝送路を使用しない場合を説明する。
【００４３】
図１１は実施の形態５における同報無線システム１００のシステム構成図である。３４は受信側記憶部１２に蓄積する音源データを親局１と子局９の間で輸送する輸送手段である。親局１の送信側記憶部８から子局９の受信側記憶部１２へ音源データを輸送する際に人間が介在してもよい。なお、親局１や子局９を現地に設置する以前に、例えば工場内での製造・調整時に親局１の送信側記憶部８および子局９の受信側記憶部１２に予め音源データを収容することも可能である。同報無線システム１００の動作については実施の形態１と同様である。
【００４４】
以上の実施の形態２〜４によれば、有線回線を介して子局で出力データを蓄積記憶することで、無線回線の影響による品質劣化を排除し、子局からの高品質な音声出力を実現することができる。
また、以上の実施の形態２〜４によれば、インターネット網あるいは公衆デジタル網あるいは公衆アナログ網等の既存の有線回線網を利用することができるので、容易に親局と子局を有線回線でつなぐことができる。
また、以上の実施の形態５によれば、親局や子局を現地に設置する以前に、例えば工場内での製造・調整時にユーザから要望された高品質の音源データをあらかじめ蓄積記憶しておくことができる。
【００４５】
実施の形態６．
実施の形態１〜５では全子局から同一の音源を出力する例を述べたが、子局によって蓄積する音源の内容を変えることで、同一のコマンドにより子局ごとに異なる内容の音源の出力を行うことが出来る。
【００４６】
実施の形態７．
実施の形態１〜６では、全子局に同一のコマンドを送信する例を述べたが、子局ごとに異なるコマンドを送信することも可能である。送信先の子局を指定するコマンドと音源を選択するコマンドを合わせて送信することで、一部の子局のみの音源出力、あるいは子局ごとに異なる内容の音源の出力が可能である。
【００４７】
ここで、以上の実施の形態で示した同報無線システムの特徴を以下に再言する。
【００４８】
以上の実施の形態１で示した同報無線システムは、
音源入力部と符号化部とコマンド入力部と放送／再生／蓄積切替スイッチと送信部と送信側記憶部を有し放送／再生／蓄積の動作を制御する送信側制御部を有する親局と、前記親局と無線回線を介して接続される１以上の子局を含む同報無線システムにおいて、前記親局は音源を送信する機能に加えコマンドを送信する機能を備え、前記子局は受信部と放送／再生／蓄積の動作を制御する受信側制御部と高品質な１以上の音源を蓄積する受信側記憶部と復号化部とスピーカを有し、前記音源は有線回線等で構成された回線品質の高い地域イントラネット網を経由する手段（本システムの無線回線は経由しない）により、あらかじめ前記子局の受信側記憶部に蓄積し前記親局からのコマンドに応じスピーカから出力することを特徴とする。
【００４９】
以上の実施の形態２で示した同報無線システムは、
音源入力部と符号化部とコマンド入力部と放送／再生／蓄積切替スイッチと送信部と送信側記憶部を有し放送／再生／蓄積の動作を制御する送信側制御部を有する親局と、前記親局と無線回線を介して接続される１以上の子局を含む同報無線システムにおいて、前記親局は音源を送信する機能に加えコマンドを送信する機能を備え、前記子局は受信部と放送／再生／蓄積の動作を制御する受信側制御部と高品質な１以上の音源を蓄積する受信側記憶部と復号化部とスピーカを有し、前記音源はインターネット網を経由する手段（本システムの無線回線は経由しない）により、あらかじめ前記子局の受信側記憶部に蓄積し前記親局からのコマンドに応じスピーカから出力することを特徴とする。
【００５０】
以上の実施の形態３で示した同報無線システムは、
音源入力部と符号化部とコマンド入力部と放送／再生／蓄積切替スイッチと送信部と送信側記憶部を有し放送／再生／蓄積の動作を制御する送信側制御部を有する親局と、前記親局と無線回線を介して接続される１以上の子局を含む同報無線システムにおいて、前記親局は音源を送信する機能に加えコマンドを送信する機能を備え、前記子局は受信部と放送／再生／蓄積の動作を制御する受信側制御部と高品質な１以上の音源を蓄積する受信側記憶部と復号化部とスピーカを有し、前記音源は公衆デジタル網を経由する手段（本システムの無線回線は経由しない）により、あらかじめ前記子局の受信側記憶部に蓄積し前記親局からのコマンドに応じスピーカから出力することを特徴とする。
【００５１】
以上の実施の形態４で示した同報無線システムは、
音源入力部と符号化部とコマンド入力部と放送／再生／蓄積切替スイッチと送信部と送信側記憶部を有し放送／再生／蓄積の動作を制御する送信側制御部を有する親局と、前記親局と無線回線を介して接続される１以上の子局を含む同報無線システムにおいて、前記親局は音源を送信する機能に加えコマンドを送信する機能を備え、前記子局は受信部と放送／再生／蓄積の動作を制御する受信側制御部と高品質な１以上の音源を蓄積する受信側記憶部と復号化部とスピーカを有し、前記音源は公衆アナログ網を経由する手段（本システムの無線回線は経由しない）により、あらかじめ前記子局の受信側記憶部に蓄積し前記親局からのコマンドに応じスピーカから出力することを特徴とする。
【００５２】
以上の実施の形態５で示した同報無線システムは、
音源入力部と符号化部とコマンド入力部と放送／再生／蓄積切替スイッチと送信部と送信側記憶部を有し放送／再生／蓄積の動作を制御する送信側制御部を有する親局と、前記親局と無線回線を介して接続される１以上の子局を含む同報無線システムにおいて、前記親局は音源を送信する機能に加えコマンドを送信する機能を備え、前記子局は受信部と放送／再生／蓄積の動作を制御する受信側制御部と高品質な１以上の音源を蓄積する受信側記憶部と復号化部とスピーカを有し、前記音源は伝送路を経由せず人間が介在する手段（本システムの無線回線は経由しない）により、あらかじめ前記子局の受信側記憶部に蓄積し前記親局からのコマンドに応じスピーカから出力することを特徴とする。
【００５３】
以上の実施の形態６で示した同報無線システムは、
前記音源が子局により異なることを特徴とする。
【００５４】
以上の実施の形態７で示した同報無線システムは、
コマンドで子局を選択して一部の子局のみ、あるいは子局ごとに異なる内容の音源を出力することを特徴とする。
【図面の簡単な説明】
【００５５】
【図１】実施の形態１における同報無線システムを示す図である。
【図２】実施の形態１における放送時または再生時のデータ信号フォーマットを示す図である。
【図３】実施の形態１における放送時または再生時のデータ信号フォーマットのヘッダ部と情報データ部の対応を示す図である。
【図４】実施の形態１における蓄積時のデータ信号フォーマットを示す図である。
【図５】実施の形態１における蓄積時のデータ信号フォーマットのヘッダ部と情報データ部の対応の例を示す図である。
【図６】実施の形態１における子局９の音源データ出力処理の流れを示すフローチャート図である。
【図７】実施の形態１における同報無線システムの蓄積記憶処理の流れを示すフローチャート図である。
【図８】実施の形態２における同報無線システムを示す図である。
【図９】実施の形態３における同報無線システムを示す図である。
【図１０】実施の形態４における同報無線システムを示す図である。
【図１１】実施の形態５における同報無線システムを示す図である。
【符号の説明】
【００５６】
１  親局（データ送信装置）、２  音源入力部、３  符号化部、４  コマンド入力部、５  放送／再生／蓄積切替スイッチ、６  送信側制御部、７  送信部、８  送信側記憶部、９  子局（データ受信装置） 、１０  受信部、１１  受信側制御部、１２  受信側記憶部、１３  復号化部、１４  スピーカ（出力部）、１５  無線回線、１６  地域イントラネット網、１７  端末設備、１８  端末設備、１９  音源（入力データ）、２０  コマンドコード、２１  音源（出力データ）、２２  データ出力要求信号、２３  データ再生要求信号、２４  データ蓄積要求信号、３１  インターネット網、３２  公衆デジタル網、３３  公衆アナログ網、３４  輸送手段（オフライン）、１００  同報無線システム（データ送受信装置）。
【図１】
2006165647.tif 000003
【図２】
2006165647.tif 000004
【図３】
2006165647.tif 000005
【図４】
2006165647.tif 000006
【図５】
2006165647.tif 000007
【図６】
2006165647.tif 000008
【図７】
2006165647.tif 000009
【図８】
2006165647.tif 000010
【図９】
2006165647.tif 000011
【図１０】
2006165647.tif 000012
【図１１】
2006165647.tif 000013